(57)【要約】【課題】ロール交換を簡単に行える安価なロール式掃除用具を提供する。【解決手段】枠体１の一対の腕部２、３間に第１および第２の芯部材が取り外し可能に支持される。第１および第２の芯部材の一対の腕部間にのびる部分の外周にそれぞれ粘着テープロール８および巻取りロール９が着脱自在にかつ芯部材と一体に回転可能に嵌め込まれる。一対の腕部のそれぞれに第２の芯部材を常時第１の芯部材に向けて付勢する弾性部材が備えられる。粘着テープロールの粘着テープの一端が巻取りリールの外周面に係止されるとともに、巻取りロールが常時粘着テープロールに接触し、粘着テープロールの正逆回転に伴って粘着テープの巻取りロールへの巻き取りおよび巻取りロールからの繰り出しがなされる。【選択図】図１
2017217135.tif 000002
【特許請求の範囲】
【請求項１】
一対の腕部、および前記一対の腕部の一端同士を接続する接続部からなるコ字状またはＵ字状の枠体と、
前記枠体の前記接続部から前記一対の腕部と反対向きにのびる柄と、
前記枠体の前記一対の腕部のそれぞれの先端側において、前記一対の腕部間に取り外し可能にかつ軸まわりに回転可能に支持された、断面が円形の第１の芯部材と、
前記枠体の前記一対の腕部のそれぞれの基端側において、前記第１の芯部材に平行に配置され、前記一対の腕部間に取り外し可能にかつ前記第１の芯部材に対し近接および離間する向きに移動可能にかつ軸まわりに回転可能に支持された、断面が円形の第２の芯部材と、
前記第１の芯部材の前記一対の腕部間にのびる部分の外周に着脱自在にかつ前記第１の芯部材と一体に回転可能に嵌め込まれた粘着テープロールと、
前記第２の芯部材の前記一対の腕部間にのびる部分の外周に着脱自在にかつ前記第２の芯部材と一体に回転可能に嵌め込まれた巻取りロールと、
一対の腕部にそれぞれ設けられ、前記第２の芯部材を常時前記第１の芯部材に向けて付勢する弾性部材と、を備え、
前記粘着テープロールに巻装された粘着テープの一端が前記巻取りリールの外周面に係止されるとともに、前記巻取りロールが常時前記粘着テープロールに接触し、前記粘着テープロールの正逆回転に伴って粘着テープの前記巻取りロールへの巻き取りおよび前記巻取りロールからの繰り出しがなされるものであることを特徴とするロール式掃除用具。
【請求項２】
前記第１の芯部材は、断面が円形の胴部、および当該胴部の両端に当該胴部の軸に沿って突設された支持軸からなり、前記第１の芯部材の胴部に前記粘着テープロールが嵌め込まれ、
前記第２の芯部材は、断面が円形の胴部、および当該胴部の両端に当該胴部の軸に沿って突設された支持軸からなり、前記第２の芯部材の胴部に前記巻取りロールが嵌め込まれ、
前記一対の腕部は、それぞれ、互いに対向する内壁と、前記内壁の両側縁にそれぞれ直角に接続する前壁および後壁とからなり、断面がコ字状をなし、
前記一対の腕部のそれぞれの前記先端側に、前記第１の芯部材の支持軸が嵌入される先端側ガイドスリットが形成され、前記先端側ガイドスリットは、前記内壁と前記後壁との接続縁から、前記第１の芯部材の支持軸の径に対応する幅で、前記内壁の短手方向および前記後壁の短手方向にそれぞれのびる第１および第２のスリット部分からなり、
前記一対の腕部のそれぞれの前記基端側に、前記第２の芯部材の支持軸が嵌入される基端側ガイドスリットが形成され、前記基端側ガイドスリットは、前記内壁と前記後壁との接続縁から、第２の芯部材の支持軸の径に対応する幅で、前記内壁の短手方向側および前記後壁の短手方向にそれぞれのびる第３および第４のスリット部分と、前記第３のスリット部分の先端から前記内壁の長手方向に前記先端側ガイドスリットから遠ざかる向きにのびる第５のスリット部分とからなり、
前記第１の芯部材の支持軸が、前記先端側ガイドスリットの前記第２のスリット部分から前記第１のスリット部分に沿って前記第１のスリット部分の突き当りまで嵌入される一方、前記第２の芯部材の支持軸が、前記基端側ガイドスリットの前記第４のスリット部分から前記第３のスリット部分に沿って前記第５のスリット部分内に嵌入されるようになっており、
前記一対の腕部分のそれぞれに、ストッパーが前記腕部分の長手方向にスライド可能に取り付けられて、前記第１の芯部材の支持軸および前記第２の芯部材の支持軸がそれぞれ前記先端側ガイドスリットの前記第１のスリット部分の突き当りおよび前記基端側ガイドスリットの前記第５のスリット部分に位置した状態で、前記第１の芯部材の支持軸の前記第１のスリット部分に沿った移動を規制しかつ前記第２の芯部材の支持軸の前記第３のスリット部分への移動を規制する制止位置と、前記第１および第２の芯部材のそれぞれの支持軸の前記規制を解除する制止解除位置とをとり得るようになっており、
前記一対の腕部分のそれぞれの前記基端側に前記弾性部材が設けられて、前記第２の芯部材の支持軸を前記５のスリット部分に沿って前記先端側ガイドスリット側に付勢するようになっていることを特徴とする請求項１に記載のロール式掃除用具。
【請求項３】
前記第１および第２の芯部材のそれぞれの前記胴部の中央部分の径が当該胴部の両端部分の径よりも大きくなっていることを特徴とする請求項１または請求項２に記載のロール式掃除用具。
【発明の詳細な説明】
【技術分野】
【０００１】
本発明は、一対の腕部と、腕部の一端同士を接続する接続部とからなるコ字状またはＵ字状の本体と、本体から一対の腕部と反対向きにのびる柄を備え、本体の腕部間に粘着テープロールおよび巻き取りロールをそれぞれ軸まわりに回転可能に支持し、粘着テープロールを繰り返し正逆回転させて粘着テープに塵埃を吸着させて掃除するとともに、使用済み粘着テープを巻き取りロールに巻き取るようにしたロール式掃除用具に関するものである。
【背景技術】
【０００２】
この種のロール式掃除用具として、例えば、特許文献１に記載されたものがある。
特許文献１に記載のロール式掃除用具は、横フレームと、横フレームの一端に接続して横フレームに直角にのびる第１縦フレームと、一端が横フレームの他端に旋回可能に連結された第２縦フレームと、横フレームの第１および第２縦フレームと反対側において横フレームに取り付けられた柄とを備えている。
【０００３】
そして、第１縦フレームの先端側に、第１支持軸の一端が固定され、第１支持軸の他端は第２縦フレームに着脱自在に固定される。第１支持軸には、第１ロール管が軸まわりに回転可能に取り付けられる。また、第１縦フレームの基端側に、第２支持軸の一端が固定されて第１支持軸に平行にのび、第２支持軸の他端は第２フレームに着脱自在に固定される。第２支持軸には、第２ロール管が軸まわりに回転可能に取り付けられる。
【０００４】
第１および第２ロール管の一端側にそれぞれ第１および第２歯車が同軸に固定され、第１縦フレームには第１および第２歯車を伝動連結する機構が設けられ、それによって、第１ロール管の回転に従動して第２ロール管が回転し得る。
また、第２ロール管には粘着テープロールが第２ロール管と一体に回転可能に装着され、粘着テープロールに巻装された粘着テープの一端が第１ロール管に係止される。
【０００５】
こうして、粘着テープロールから繰り出された一定長の粘着テープが第１ロール管に巻き取られた状態で、第１ロール管が掃除すべき床面上において一定の角度範囲内で正逆回転せしめられることによって、粘着テープに塵埃が吸着されるようになっている。
そして、第１ロール管の粘着テープの吸着力が一定程度まで低下すると、第１ロール管が上記一定の角度範囲を超えて、粘着テープロールから粘着テープを繰り出す向きに回転せしめられ、それによって、新たな粘着テープが第１ロール管に補給される。
【０００６】
粘着テープロールのテープが使い切られると、ロール交換がなされる。ロール交換は次のようになされる。すなわち、第２縦フレームが旋回せしめられて第１および第２支持軸の他端側が開放され、第１ロール管からこれに巻き取られた使用済みテープが取り外されるとともに、第２ロールから粘着テープロールが取り外され、次いで、新たな粘着テープロールが第２ロールに装着され、新たな粘着テープロールのテープ先端が第１ロール管に係止せしめられ、その後、第１および第２支持軸の他端側が第２縦フレームによって閉じられる。
【０００７】
しかしながら、このロール式掃除用具は、部品点数が多くて構成が複雑で、高価であり、さらには、ロール交換の際に掃除用具の本体部分にアクセスしなければならず、ロール交換が面倒であるという問題を有していた。
【先行技術文献】
【特許文献】
【０００８】
【特許文献１】特開２００９−２８２２８号公報
【発明の概要】
【発明が解決しようとする課題】
【０００９】
したがって、本発明の課題は、ロール交換を簡単に行える安価なロール式掃除用具を提供することにある。
【課題を解決するための手段】
【００１０】
上記課題を解決するため、本発明によれば、一対の腕部、および前記一対の腕部の一端同士を接続する接続部からなるコ字状またはＵ字状の枠体と、前記枠体の前記接続部から前記一対の腕部と反対向きにのびる柄と、前記枠体の前記一対の腕部のそれぞれの先端側において、前記一対の腕部間に取り外し可能にかつ軸まわりに回転可能に支持された、断面が円形の第１の芯部材と、前記枠体の前記一対の腕部のそれぞれの基端側において、前記第１の芯部材に平行に配置され、前記一対の腕部間に取り外し可能にかつ前記第１の芯部材に対し近接および離間する向きに移動可能にかつ軸まわりに回転可能に支持された、断面が円形の第２の芯部材と、前記第１の芯部材の前記一対の腕部間にのびる部分の外周に着脱自在にかつ前記第１の芯部材と一体に回転可能に嵌め込まれた粘着テープロールと、前記第２の芯部材の前記一対の腕部間にのびる部分の外周に着脱自在にかつ前記第２の芯部材と一体に回転可能に嵌め込まれた巻取りロールと、一対の腕部にそれぞれ設けられ、前記第２の芯部材を常時前記第１の芯部材に向けて付勢する弾性部材と、を備え、前記粘着テープロールに巻装された粘着テープの一端が前記巻取りリールの外周面に係止されるとともに、前記巻取りロールが常時前記粘着テープロールに接触し、前記粘着テープロールの正逆回転に伴って粘着テープの前記巻取りロールへの巻き取りおよび前記巻取りロールからの繰り出しがなされるものであることを特徴とするロール式掃除用具が提供される。
【００１１】
本発明の好ましい実施例によれば、前記第１の芯部材は、断面が円形の胴部、および当該胴部の両端に当該胴部の軸に沿って突設された支持軸からなり、前記第１の芯部材の胴部に前記粘着テープロールが嵌め込まれ、前記第２の芯部材は、断面が円形の胴部、および当該胴部の両端に当該胴部の軸に沿って突設された支持軸からなり、前記第２の芯部材の胴部に前記巻取りロールが嵌め込まれ、前記一対の腕部は、それぞれ、互いに対向する内壁と、前記内壁の両側縁にそれぞれ直角に接続する前壁および後壁とからなり、断面がコ字状をなし、前記一対の腕部のそれぞれの前記先端側に、前記第１の芯部材の支持軸が嵌入される先端側ガイドスリットが形成され、前記先端側ガイドスリットは、前記内壁と前記後壁との接続縁から、前記第１の芯部材の支持軸の径に対応する幅で、前記内壁の短手方向および前記後壁の短手方向にそれぞれのびる第１および第２のスリット部分からなり、前記一対の腕部のそれぞれの前記基端側に、前記第２の芯部材の支持軸が嵌入される基端側ガイドスリットが形成され、前記基端側ガイドスリットは、前記内壁と前記後壁との接続縁から、第２の芯部材の支持軸の径に対応する幅で、前記内壁の短手方向側および前記後壁の短手方向にそれぞれのびる第３および第４のスリット部分と、前記第３のスリット部分の先端から前記内壁の長手方向に前記先端側ガイドスリットから遠ざかる向きにのびる第５のスリット部分とからなり、前記第１の芯部材の支持軸が、前記先端側ガイドスリットの前記第２のスリット部分から前記第１のスリット部分に沿って前記第１のスリット部分の突き当りまで嵌入される一方、前記第２の芯部材の支持軸が、前記基端側ガイドスリットの前記第４のスリット部分から前記第３のスリット部分に沿って前記第５のスリット部分内に嵌入されるようになっており、前記一対の腕部分のそれぞれに、ストッパーが前記腕部分の長手方向にスライド可能に取り付けられて、前記第１の芯部材の支持軸および前記第２の芯部材の支持軸がそれぞれ前記先端側ガイドスリットの前記第１のスリット部分の突き当りおよび前記基端側ガイドスリットの前記第５のスリット部分に位置した状態で、前記第１の芯部材の支持軸の前記第１のスリット部分に沿った移動を規制しかつ前記第２の芯部材の支持軸の前記第３のスリット部分への移動を規制する制止位置と、前記第１および第２の芯部材のそれぞれの支持軸の前記規制を解除する制止解除位置とをとり得るようになっており、前記一対の腕部分のそれぞれの前記基端側に前記弾性部材が設けられて、前記第２の芯部材の支持軸を前記５のスリット部分に沿って前記先端側ガイドスリット側に付勢するようになっている。
【００１２】
本発明のさらに別の好ましい実施例によれば、前記第１および第２の芯部材のそれぞれの前記胴部の中央部分の径が当該胴部の両端部分の部分の径よりも大きくなっている。
【発明の効果】
【００１３】
本発明によれば、第１および第２の芯部材を枠体の一対の腕の間に取り外し可能に支持し、第１および第２の芯部材にそれぞれ粘着テープロールおよび巻取りロールを着脱自在に装着したので、ロール交換をする場合には、粘着テープロールおよび巻取りロールをそれぞれ第１および第２の芯部材ごと枠体から取り外し、第１の芯部材から粘着テープロールを取り外した後、第１の芯部材に新たな粘着テープロールを装着する一方、第２の芯部材から巻取りロールを取り外した後、第２の芯部材に新たな（空の）巻取りロールを装着し、次いで、それぞれ新たな粘着テープロールおよび新たな巻取りロールを装着した第１および第２の芯部材を枠体に取り付ければよい。したがって、ロール交換が簡単かつ迅速に行える。
【００１４】
また、本発明によれば、粘着テープロールの回転力を巻取りロールに伝達するための機構が非常に簡単になり、ロール式掃除用具の部品点数が減少し、よって、製造コストが大幅に低減される。
【図面の簡単な説明】
【００１５】
【図１】本発明の１実施例によるロール式掃除用具の斜視図である。
【図２】図１のロール式掃除用具の分解斜視図である。
【図３】図１のロール式掃除用具の枠体のスライドカバーの拡大斜視図である。
【図４】図１のロール式掃除用具の枠体のスライドカバーの動きを説明する図であり、（Ａ）はスライドカバーが開位置にある状態を示し、（Ｂ）はスライドカバーが閉位置にある状態を示している。
【図５】図１のロール式掃除用具の、スライドカバーが開位置にあるときの枠体の一方の腕部の長手方向の断面図である。
【図６】図１のロール式掃除用具の、スライドカバーが閉位置にあるときの枠体の一方の腕部の長手方向の断面図である。
【発明を実施するための形態】
【００１６】
以下、添付図面を参照しつつ本発明の構成を好ましい実施例に基づいて説明する。
図１は、本発明の１実施例によるロール式掃除用具の斜視図である。
図１に示すように、本発明のロール式掃除用具は、一対の腕部２、３、および一対の腕部２、３の一端同士を接続する接続部４からなるコ字状またはＵ字状の枠体１と、枠体１の接続部４から一対の腕部２、３と反対向きにのびる柄５と、枠体１の一対の腕部２、３の先端側において、一対の腕部２、３間に取り外し可能にかつ軸まわりに回転可能に支持された、断面が円形の第１の芯部材６と、一対の腕部２、３の基端側において、第１の芯部材６に平行に配置され、一対の腕部２、３間に取り外し可能にかつ第１の芯部材６に対し近接および離間する向きに移動可能にかつ軸まわりに回転可能に支持された、断面が円形の第２の芯部材７とを備えている。
【００１７】
図２は、図１のロール式掃除用具の分解斜視図であり、図３は、図１のロール式掃除用具の枠体のスライドカバーの拡大斜視図である。また、図４は、図１のロール式掃除用具の枠体のスライドカバーの動きを説明する図であり、図５および図６は、図１のロール式掃除用具の枠体の一方の腕部の長手方向の断面図である。
【００１８】
図２を参照して、第１の芯部材６は、断面が円形の胴部６ａ、および胴部６ａの両端に胴部６ａの軸に沿って突設された支持軸６ｂからなり、第２の芯部材７は、断面が円形の胴部７ａ、および胴部７ａの両端に胴部７ａの軸に沿って突設された支持軸７ｂからなっている。
また、第１および第２の芯部材６、７のそれぞれの胴部６ａ、７ａにはクラウン加工がなされていて、中央部分の径が両端部分の径よりも大きくなっている。
この場合、胴部６ａ、７ａが、中央の一定長さの大径部分と、両端の一定長さの小径部分と、大径部分および小径部分を滑らかに接続する円錐面状部分と、からなっていもよいし、あるいは、胴部６ａ、７aの径が胴部６ａ、７ａの中央から両端に向かうにつれて徐々に小さくなっていてもよい。
そして、第１の芯部材６の胴部６ａの外周に、粘着テープロール８が、着脱自在にかつ第１の芯部材６と一体に回転可能に嵌め込まれ、第２の芯部材７の胴部７ａの外周に、巻取りロール９が、着脱自在にかつ第２の芯部材７と一体に回転可能に嵌め込まれる。
【００１９】
この実施例では、一対の腕部２、３は、それぞれ、互いに対向する内壁２ａ、３ａと、内壁２ａ、３ａの両側縁にそれぞれ直角に接続する前壁２ｂ、３ｂおよび後壁２ｃ、３ｃとからなり、断面がコ字状をなしている
【００２０】
また、一対の腕部２、３のそれぞれの先端側に、第１の芯部材６の支持軸６ｂが嵌入される先端側ガイドスリット１０が形成されている。
先端側ガイドスリット１０は、内壁２ａ、３ａと後壁２ｃ、３ｃとの接続縁１２から、第１の芯部材６の支持軸６ｂの径に対応する幅で、内壁２ａ、３ａの短手方向および後壁２ｃ、３ｃの短手方向にそれぞれのびる第１および第２のスリット部分１０ａ、１０ｂからなっている。
【００２１】
また、一対の腕部２、３のそれぞれの基端側に、第２の芯部材７の支持軸７ｂが嵌入される基端側ガイドスリット１１が形成されている。
基端側ガイドスリット１１は、内壁２ａ、３ａと後壁２ｃ、３ｃとの接続縁１２から、第２の芯部材７の支持軸７ｂの径に対応する幅で、内壁２ａ、３ａの短手方向および後壁２ｃ、３ｃの短手方向にそれぞれのびる第３および第４のスリット部分１１ａ、１１ｂと、第３のスリット部分１１ａの先端から内壁２ａ、３ａの長手方向に先端側ガイドスリット１０から遠ざかる向きにのびる第５のスリット部分１１ｃとからなっている。
【００２２】
そして、第１の芯部材６の支持軸６ｂが、先端側ガイドスリット１０の第２のスリット部分１０ｂから第１のスリット部分１０ａに沿って第１のスリット部分１０ａの突き当りまで嵌入される一方、第２の芯部材７の支持軸７ｂが、基端側ガイドスリット１１の第４のスリット部分１１ｂから第３のスリット部分１１ａに沿って第５のスリット部分１１ｃ内に嵌入されるようになっている。
【００２３】
また、一対の腕部２、３のそれぞれの内壁２ａ、３ａの背面の、第５のスリット部分１１ｃの先端および接続部４間の領域には、スプリング収容溝１５が設けられて、第５のスリット部分１１ｃに平行にのびている。
スプリング収容溝１５には、スプリング１６が嵌め込まれ、スプリング１６の一端は接続部４に固定されている。スプリング１６の他端には当接ピン１７が固定されている。当接ピンは、第５のスリット部分１１ｃに平行にのびるとともに、部分的に第５のスリット部分１１ｃに重なっている。
【００２４】
一対の腕部２、３のそれぞれには、スライドカバー（ストッパー）１３が、腕部２、３の長手方向にスライド可能に取り付けられている。
スライドカバー（ストッパー）１３は、腕部２、３の内壁２ａ、３ａに対応する形状の底壁１３ａと、それぞれ腕部２、３の前壁２ｂ、３ｂおよび後壁２ｃ、３ｃに対応する形状を有し、底壁１３ａの両側縁に立設されて底壁１３ａに直角にのびる一対の第１の側壁１３ｂ、１３ｃと、底壁１３ａの一端縁に立設されて一対の第１の側壁１３ｂ、１３ｃ間にのびる第２の側壁１３ｄとからなっている。
【００２５】
また、枠体１の一対の腕部２、３のそれぞれの前壁２ｂ、３ｂに、平行な一対のリブ１４ａが設けられて腕部２、３の長手方向にのびている。
一方、図示はしないが、スライドカバー（ストッパー）１３の一方の第１の側壁１３ｃの内側面に、リブが設けられて第１の側壁１３ｃの長手方向にのびている。
さらに、一対の腕部２、３のそれぞれの前壁２ｂ、３ｂに、係止隆起部１４ｂが設けられる一方、スライドカバー（ストッパー）１３の第１の側壁１３ｃの内側面には、係止隆起部１４ｂに対応する当接部（図示しない）が設けられている。
【００２６】
そして、スライドカバー（ストッパー）１３は、底壁１３ａの内側面が枠体１の腕部２、３の内壁２ａ、３ａに対向し、かつ第１の側壁１３ｃの内側面の上記リブが腕部２、３の一対のリブ１４ａ間に挿入され、かつ第１の側壁１３ｃの内側面の上記当接部が腕部２、３の係止隆起部１４ｂよりも基端側に位置した状態で、一対の第１の側壁１３ｂ、１３ｃが腕部２、３の前壁２ｂ、３ｂおよび後壁２ｃ、３ｃの外側に嵌合することによって、腕部２、３に取り付けられる。
こうして、スライドカバー（ストッパー）１３は、他端（第２の側壁１３ｄと反対側の端）が枠体１の接続部３に当接する閉位置（規制位置）（図４Ｂ、図６参照）と、当該他端が接続部３から離間するとともに、上記当接部が腕部２、３の係止隆起部１４ｂに当接する開位置（規制解除位置）（図４Ａ、図５参照）との間でスライドし得る。
なお、図示はしないが、スライドカバー（ストッパー）１３および腕部２、３間に、スライドカバー（ストッパー）１３を閉位置（規制位置）において腕部２、３に一時的に係止可能な機構が設けられる。
【００２７】
図３〜図６に示すように、スライドカバー（ストッパー）１３の他方の第１の側壁１３ｂ（腕部２、３の後壁２ｃ、３ｃに対向する側壁）には、スライドカバー（ストッパー）１３が開位置（規制解除位置）にあるとき、それぞれ腕部２、３の先端側ガイドスリット１０の第２のスリット部分１０ｂおよび腕部２、３の基端側ガイドスリット１１の第４のスリット部分１１ｂに整合する第１および第２の開口１３ｅ、１３ｆが形成されている。
【００２８】
さらに、スライドカバー（ストッパー）１３の底壁１３ａの内側面の、第１の側壁１３ｂの第１および第２の開口１３ｅ、１３ｆからそれぞれ長手方向に第２の側壁１３ｄ側にずれた位置に、平板状の第１および第２の閉鎖部１３ｇ、１３ｈが設けられている。第１および第２の閉鎖部１３ｇ、１３ｈは、それぞれ、底壁１３ａに垂直にかつ底壁１３ａの長手方向にのびている。
【００２９】
そして、図６に示すように、先端側ガイドスリット１０および基端側ガイドスリット１１にそれぞれ第１の芯部材６の支持軸６ｂおよび第２の芯部材７の支持軸７ｂが嵌入された状態で、スライドカバー（ストッパー）１３が閉位置（規制位置）をとるとき、第１の芯部材６の支持軸６ｂは、第１の閉鎖部１３ｇによって、第１のスリット部分の突き当りの位置から外向きに移動できなくなり、第２の芯部材７の支持軸７ｂは、第２の閉鎖部１３ｈによって、第１のスリット部分１１ａから第３のスリット部分１１ｃへ移動できなくなる。
【００３０】
加えて、この閉位置（規制位置）において、スプリング１６が、当接ピン１７を介して、第２の芯部材７の支持軸７ｂを常時第１の芯部材６の支持軸６ｂに向けて押し付ける。それによって、第２の芯部材７に装着された巻取りロールは第１の芯部材６に装着された粘着テープロールに常時圧接する。
【００３１】
次に、本発明のロール式掃除用具の使用法を説明する。
まず、スライドカバー（ストッパー）１３を開位置（規制解除位置）までスライドさせ、胴部６ａに粘着テープロール８を装着した第１の芯部材６の支持軸６ｂを先端側ガイドスリット１０内に嵌入する。この場合、支持軸６ｂを、第２のスリット部分１０ｂから挿入し、第１のスリット部分１０ａに沿って第１のスリット部分１０ａの突き当りに位置させる。
次いで、胴部７ａに巻取りロール９を装着した第２の芯部材７の支持軸７ｂを基端側ガイドスリット１１内に嵌入する。この場合、支持軸７ｂを、第４のスリット部分１１ｂから挿入し、第３のスリット部分１１ａに沿って第５のスリット部分１１ｃ内に位置させる。この状態で、支持軸７ｂが当接ピン１７（スプリング１６）によって支持軸６ｂ側に押し付けられ、巻取りロール９が粘着テープロール８に接触する（図５参照）。
【００３２】
そして、粘着テープロール８の粘着テープの先端を巻取りロール９の外周に係止し、スライドカバー（ストッパー）１３を閉位置（規制位置）まで移動させる（図６参照）。それによって、枠体１へのロールの装着が完了する。
【００３３】
そして、柄５を手で持って、粘着テープロール８を床面上において正逆回転させることで、粘着テープに塵埃を吸着する。この間に、粘着テープロールの正逆回転に伴って粘着テープの巻取りロールへの巻き取りおよび前記巻取りロールからの繰り出しがなされるが、この実施例では、第１および第２の芯部材６、７のそれぞれの胴部６ａ、７ａをクラウン加工しているので、粘着テープの蛇行が防止される。
粘着テープの粘着力が一定程度まで低下したときは、粘着テープを巻取りロール９に巻き取る向きに粘着テープロール８を連続回転させることによって、新たな粘着テープを粘着テープロール８から繰り出し、同時に、古い粘着テープを巻取りロール９に巻き取る。
【００３４】
粘着テープを使い切ってロール交換をする場合には、スライドカバー（ストッパー）１３を開位置（規制解除位置）まで移動させた後、粘着テープロール８および巻取りロール９をそれぞれ第１および第２の芯部材６、７ごと枠体１から取り外し、第１の芯部材６から粘着テープロール８を取り外して、第１の芯部材６に新たな粘着テープロール８を装着する一方、第２の芯部材７から巻取りロール９を取り外して、第２の芯部材７に新たな（空の）巻取りロール９を装着し、その後、それぞれ新たな粘着テープロール８および新たな巻取りロール９を装着した第１および第２の芯部材６、７を枠体１に取り付ける。
【００３５】
こうして、本発明のロール式掃除用具においては、ロール交換が簡単かつ迅速に行える。また、粘着テープロール８の回転力を巻取りロール９に伝達するための機構が非常に簡単になって、ロール式掃除用具の部品点数が減少し、それによって、製造コストが大幅に低減される。
【符号の説明】
【００３６】
１  枠体
２、３  腕部
２ａ、３ａ内壁
２ｂ、３ｂ  前壁
２ｃ、３ｃ  後壁
４  接続部
５  柄
６  第１の芯部材
６ａ  胴部
６ｂ  支持軸
７  第２の芯部材
７ａ  胴部
７ｂ  支持軸
８  粘着テープロール
９  巻取りロール
１０  先端側ガイドスリット
１０ａ  第１のスリット部分
１０ｂ  第２のスリット部分
１１  基端側ガイドスリット
１１ａ  第３のスリット部分
１１ｂ  第４のスリット部分
１１ｃ  第５のスリット部分
１２  接続縁
１３  スライドカバー（ストッパー）
１３ａ  底壁
１３ｂ、１３ｃ  第１の側壁
１３ｄ  第２の側壁
１３ｅ  第１の開口
１３ｆ  第２の開口
１３ｇ  第１の閉鎖部
１３ｈ  第２の閉鎖部
１４ａ  リブ
１４ｂ  係止隆起部
１５  スプリング収容溝
１６  スプリング
１７  当接ピン
【図１】
2017217135.tif 000003
【図２】
2017217135.tif 000004
【図３】
2017217135.tif 000005
【図４】
2017217135.tif 000006
【図５】
2017217135.tif 000007
【図６】
2017217135.tif 000008